(57)【特許請求の範囲】
【請求項１】
２台の硬貨取扱い装置を有し、また、これら２台の硬貨取扱い装置から排出される硬貨を貯める金庫を有した自動販売機において、
前記金庫は、
前記第１の硬貨取扱い装置の硬貨排出口から排出される硬貨を受取るために上面に上開口部を有し、
また、前記第２の硬貨取扱い装置の硬貨排出口から排出される硬貨を受取るために側壁に横開口部を有すると共に、該横開口部を覆うシート状物を該側壁の内面に吊下げてなる
ことを特徴とする自動販売機。
【発明の詳細な説明】
【０００１】
【産業上の利用分野】
本発明は、自動販売機に関するものである。
【０００２】
【従来の技術】
タバコの自動販売機や券売機において、投入された硬貨や釣銭のための硬貨を取扱うために、自動販売機の内部にはコインメックが設けられている。
【０００３】
しかしながら、このコインメックにおいて取扱える硬貨の数は少ないため、釣銭に使用する硬貨の数を増やしたい場合には、コインメックの他に硬貨払出し装置が設けられる場合がある。
【０００４】
そして、従来、硬貨払出し装置からの硬貨の回収は、コインメックのために設けられている金庫を使用して行われるのが通常である。
【０００５】
この金庫は、直方体を成し、上部が開口した所謂箱形となっている。コインメックから硬貨を金庫に回収する場合には、コインメックの底面から延びたシュートから硬貨が滑り落とし金庫に収納する。
【０００６】
また、硬貨払出し装置から硬貨を回収する場合には、コインメックからの硬貨の回収と同様に、金庫の上部から硬貨を回収する。
【０００７】
【発明が解決しようとする課題】
しかしながら、カウンタ設置式の自動販売機においては、金庫の高さが硬貨払出し装置の硬貨排出口より高くなるため、金庫をその回収に利用できなくなる場合があった。そのため、金庫とは別に硬貨払出し装置からの硬貨を回収するための回収袋を用意していた。
【０００８】
そこで、本発明は上記問題点に鑑み、硬貨払出し装置の硬貨排出口が、金庫の高さよりも低い場合であっても、その金庫で硬貨の回収を行える自動販売機を提供するものである。
【０００９】
【課題を解決するための手段】
本発明の自動販売機は、２台の硬貨取扱い装置を有し、また、これら２台の硬貨取扱い装置から排出される硬貨を貯める金庫を有した自動販売機において、前記金庫は、前記第１の硬貨取扱い装置の硬貨排出口から排出される硬貨を受取るために上面に上開口部を有し、また、前記第２の硬貨取扱い装置の硬貨排出口から排出される硬貨を受取るために側壁に横開口部を有すると共に、該横開口部を覆うシート状物を該側壁の内面に吊下げてなるものである。
【００１０】
【作  用】
上記自動販売機において、各硬貨取扱い装置から硬貨を回収する場合について説明する。
【００１１】
第１の硬貨取扱い装置から硬貨を回収する場合には、第１の硬貨取扱い装置の硬貨排出口から排出される硬貨を、金庫の上面に設けられた上開口部から受け取る。
【００１２】
また、第２の硬貨取扱い装置の硬貨排出口から硬貨を回収する場合には、この硬貨排出口を金庫の側壁に設けられた横開口部に一致させ、この横開口部から、前記第２の硬貨排出口から排出される硬貨を回収する。
【００１３】
この硬貨を回収する場合において、横開口部を覆うシート状物は、側壁の内側へ向かって硬貨によって押されるため、硬貨の回収には支障がない。
【００１４】
一方、金庫内部に硬貨が溜まり、横開口部の位置を超えても、横開口部はシート状物によって覆われているため硬貨が飛出すことがない。
【００１５】
【実施例】
以下、本発明の一実施例の自動販売機１０について、図面に基づいて説明する。
【００１６】
自動販売機１０は、図１に示すように食券を販売するものであり、自動販売機１０の本体１２の前面に設けられた扉１４には、食券を選択するための選択ボタン１６、硬貨投入口１８、紙幣投入口２０、返却ボタン２２、デジタル表示装置２４、食券を取出し、また、釣銭をとるための取出口２６が設けられている。
【００１７】
本体１２の内部には、食券を販売するための装置等以外に、硬貨を取扱うためのコインメック２８及び硬貨払出し装置３０が設けられている。硬貨払出し装置３０は、コインメック２８の硬貨払出しに関し、補助的役割をする。
【００１８】
コインメック２８は、図２に示すように本体１２の中央部やや上方に配されている。硬貨払出し装置３０は、コインメック２８の下方に配されている。硬貨払出し装置３０の右側に硬貨Ｃを回収するための金庫３２が載置されている。
【００１９】
コインメック２８には、コインメック２８内部の硬貨Ｃを排出するためのシュート３４がその底面から金庫３２の上面に向かって伸びている。また、硬貨払出し装置３０の中央部には、硬貨排出口３６が設けられている。
【００２０】
金庫３２は、直方体状の箱形を成し、上面が開口して開口部（以下、上開口部という）３８を有し、また、側壁にも開口部（以下、横開口部という）４０を有している。横開口部４０の高さは、硬貨払出し装置３０の硬貨排出口３６と略同じ高さの位置に設けられている。また、横開口部４０が開口した側壁内側には、ビニールシート４２が設けられている。具体的には、ビニールシート４２の上端部が横開口部４０の上縁部に取付けられて、ビニールシート４２が吊下げられた状態となっている。なお、ビニールシート４２は、横開口部４０を塞ぐ大きさとなっている。
【００２１】
上記構成の自動販売機１０において、コインメック２８から硬貨Ｃが金庫に排出される金コン回収する場合について説明する。
【００２２】
金庫３２は、図２，３に示すように硬貨払出し装置３０の右側に配し、シュート３４から落ちる硬貨Ｃを受け取れるようにしておく。
【００２３】
コインメック２８の収納部である釣銭筒が満杯になると投入された硬貨Ｃはシュート３４から排出される。そして、シュート３４から落下した硬貨Ｃは、金庫３２の上開口部３８から落下し、金庫３２に収納される。
【００２４】
次に、硬貨払出し装置３０から硬貨Ｃを回収する場合について説明する。
【００２５】
図４，５に示すように、硬貨払出し装置３０の前面に金庫３２を配するとともに、横開口部４０に硬貨排出口３６を挿入する。
【００２６】
硬貨払出し装置３０を操作すると、硬貨排出口３６から排出された硬貨Ｃは、横開口部４０から金庫３２内部に収納される。この場合に、ビニールシート４２は、硬貨排出口３６によって内側に押されて硬貨Ｃの投入に支障がない。
【００２７】
金庫３２に、多数の硬貨Ｃが収納されると積み重なった硬貨Ｃは横開口部４０の高さを越えるが、ビニールシート４２が横開口部４０を閉塞しているため、横開口部４０から硬貨Ｃが飛出すことがない。
【００２８】
以上のように、本実施例の自動販売機１０であると、コインメック２８からの硬貨Ｃは、金庫３２の上開口部３８から収納でき、硬貨払出し装置３０から排出された硬貨Ｃは、横開口部４０から回収できる。また、横開口部４０にはビニールシート４２が設けられているため、金庫３２に多量の硬貨Ｃが収納されても横開口部４０から硬貨Ｃが飛出すことがない。
【００２９】
【発明の効果】
以上により、本発明の自動販売機であると、第１の硬貨取扱い装置の硬貨を収納する場合には、金庫の上面に設けられた上開口部から回収し、第２の硬貨取扱い装置から硬貨を回収する場合には、金庫の側壁に設けられた横開口部から回収する。一方、この横開口部にはシート状物が覆われているため、金庫内部に多量の硬貨が収納されても、このシート状物により横開口部から硬貨が飛出すことがない。
【図面の簡単な説明】
【図１】本発明の一実施例を示す自動販売機の正面図である。
【図２】本体の要部拡大正面図である。
【図３】コインメックからの硬貨を収納している状態の斜視図である。
【図４】硬貨払出し装置から硬貨を回収している状態の斜視図である。
【図５】同じく硬貨払出し装置から硬貨を回収している状態の縦断面図である。
【図６】金庫に多量の硬貨を収納した状態の縦断面図である。
【符号の説明】
１０  自動販売機
１２  本体
２８  コインメック
３０  硬貨払出し装置
３２  金庫
３４  シュート
３６  硬貨排出口
３８  開口部
４０  開口部
４２  ビニールシート
【図１】
0003541257.tif 000002
【図２】
0003541257.tif 000003
【図３】
0003541257.tif 000004
【図４】
0003541257.tif 000005
【図５】
0003541257.tif 000006
【図６】
0003541257.tif 000007